(57)【要約】【課題】カメラのＡＥ／ＡＦ検出位置設定操作をコントローラ側で簡単に行い得るカメラシステムを提供する。【解決手段】カメラシステムは、コントローラとの間で画像及び撮影条件に関する情報を通信しコントローラから送信された主要被写体の位置に関する情報を受信するカメラ通信部と、コントローラから送信された撮影条件に関する情報に従ってカメラを制御し、カメラ通信部が受信した主要被写体位置情報に基いてカメラの撮影条件を設定する制御を行うリモート制御部とを備えたカメラと、カメラとの間で画像及び撮影条件に関する情報を通信し撮影条件に関する情報として操作部により指示された主要被写体位置情報を送信する通信部と、カメラから送信され通信部で受信した画像データに基くモニタ画像を表示する表示部と、表示部に表示中のモニタ画像上で主要被写体位置を指示する操作部とを備え、カメラを外部から制御するコントローラとにより構成する。【選択図】図４
2009273033.tif 000002
【特許請求の範囲】
【請求項１】
カメラとこのカメラを外部から制御するコントローラとからなるカメラシステムにおいて、
上記カメラは、上記コントローラとの間で画像及び撮影条件に関する情報を通信するカメラ通信部と、上記コントローラから送信された撮影条件に関する情報に従って上記カメラを制御するリモート制御部と、
を備え、
上記コントローラは、上記カメラとの間で画像及び撮影条件に関する情報を通信する通信部と、上記カメラ通信部から送信され上記通信部により受信した画像データに基くモニタ画像を表示する表示部と、上記表示部に表示中のモニタ画像上で主要被写体の位置を指示する操作部と、
を備え、
上記通信部は、撮影条件に関する情報として上記操作部により指示された上記主要被写体の位置に関する情報を送信し、
上記カメラ通信部は、上記通信部から送信された上記主要被写体の位置に関する情報を受信し、
上記リモート制御部は、上記カメラ通信部が受信した上記主要被写体の位置に関する情報に基いて上記カメラの撮影条件を設定する制御を行うことを特徴とするカメラシステム。
【請求項２】
上記リモート制御部が設定する撮影条件は、上記カメラのＡＥ検出位置とＡＦ検出位置とのいずれか一方を少なくとも含むことを特徴とする請求項１に記載のカメラシステム。
【請求項３】
上記操作部は、上記表示部の表面に設けられるタッチパネルを含むことを特徴とする請求項１に記載のカメラシステム。
【請求項４】
上記表示部は、モニタ画像上で上記操作部により指示された位置を表示画面の略中央部分に表示させ、
上記リモート制御部は、上記表示部の略中央部分に表示された被写体をＡＥ検出位置又はＡＦ検出位置として設定することを特徴とする請求項１に記載のカメラシステム。
【請求項５】
上記コントローラは、上記表示部に表示する画像を制御する表示制御部を、さらに備えて構成され、
上記表示制御部は、上記カメラから送信されたモニタ画像のうち上記操作部によって指示された位置を含む一部の領域を拡大表示する制御を行うことを特徴とする請求項４に記載のカメラシステム。
【請求項６】
上記コントローラは、撮像部を備えたカメラであることを特徴とする請求項１に記載のカメラシステム。
【請求項７】
撮像画像を含む情報をカメラと通信して、このカメラを外部から制御するコントローラの制御方法において、
上記カメラから送信されるモニタ画像を表示し、上記モニタ画像上で指示されるＡＥ検出位置又はＡＦ検出位置に関する情報を上記カメラに送信することを特徴とするコントローラの制御方法。
【請求項８】
撮像画像を含む情報をカメラと通信して、このカメラを外部から制御するコントローラのプログラムにおいて、
上記カメラから送信されるモニタ画像を表示するステップと、
上記モニタ画像上で指示されるＡＥ検出位置又はＡＦ検出位置に関する情報を上記カメラに送信するステップと、
を含むことを特徴とするコントローラのプログラム。
【発明の詳細な説明】
【技術分野】
【０００１】
この発明は、カメラシステム及びコントローラの制御方法，コントローラのプログラム、詳しくはカメラとこのカメラを外部から制御するコントローラとからなるカメラシステムと、このカメラシステムにおけるコントローラの制御方法と、この制御方法を実現するコントローラのプログラムに関するものである。
【背景技術】
【０００２】
従来、カメラとコントローラとからなるカメラシステムにおいて、外部から遠隔操作によってカメラを動作させて取得したモニタ画像や撮影画像等を表示部にて確認することのできるコントローラと、このコントローラによって外部から制御されるカメラとを組み合わせた形態のカメラシステムにおけるリモートコントロールシステムについては、種々の提案がなされ、また実用化されている。
【０００３】
例えば、特開２００３−３３００８９号公報によって開示されているカメラシステムは、コントローラにレリーズスイッチ等の操作部材と液晶表示装置を設け、このコントローラを用いてカメラを遠隔操作して撮影を行う際には、カメラの状態情報、例えばメモリ残容量やバッテリ容量，撮影可能な画像情報等がコントローラの液晶表示装置に表示されるようにしている。また、コントローラのレリーズスイッチを操作してカメラに撮影動作を実行させると、その撮影動作が正常に完了したとき、その旨のメッセージがコントローラの液晶表示装置に表示されるというものである。
【０００４】
また、特開２００６−１７４１６４号公報によって開示されているカメラシステムは、カメラの電源状態のオンオフ切換操作や、カメラの撮影レンズのズーミング操作，オートフォーカス操作（自動焦点調節操作：ＡＦ操作）等をコントローラの操作部材により遠隔操作で制御することができるというものである。
【０００５】
そして、特開２００７−１７３９９２号公報によって開示されているカメラシステムは、コントローラから送信される撮影条件データ等を含む撮影要求信号をカメラが受信すると、カメラ側では、受信した撮影条件データに基いてカメラの撮影条件を設定し、受信した撮影要求信号に従って撮影動作を実行させるような制御が行われる。そして、カメラは、撮影動作によって取得した画像データ等をコントローラへ送信するように構成したものである。
【０００６】
このように従来のカメラシステムのリモートコントロールシステムでは、カメラの撮影タイミングをコントローラによって指示するだけでなく、コントローラの表示装置にカメラの各種情報を表示させることができるようにしたり、コントローラからカメラのズーミング操作やＡＦ操作等を行なうことができるようにしたものがある。
【特許文献１】特開２００３−３３００８９号公報
【特許文献２】特開２００６−１７４１６４号公報
【特許文献３】特開２００７−１７３９９２号公報
【発明の開示】
【発明が解決しようとする課題】
【０００７】
ところで、カメラを用いて写真撮影を行う際の動作、即ち撮影動作を実行する場合には、その一連の動作のうちレリーズ動作を実行する前段階の動作として、カメラの各構成部に対して各種の設定をしておく動作が含まれる。この場合において、予め設定しておくべき撮影に関する各種の条件情報（撮影条件情報という）のうちでも、所望の撮影対象となる主要被写体を含む撮影画像の露出設定と焦点調節設定とは特に重要な項目となっている。
【０００８】
従来のカメラにおける露出設定は、まず、所望の撮影対象（主要被写体）を含む撮影画像のＥＶ値を自動的に算出し、算出されたＥＶ値に基いて適切なシャッター速度値と絞り値とを自動的に設定する自動露出設定処理（ＡＥ処理という）により行われるのが一般である。
【０００９】
同様に、従来のカメラにおける焦点調節設定は、レンズを光軸に沿う方向に移動制御して、所望の撮影対象（主要被写体）を含む撮影画像内における所定の範囲の領域内（主に主要被写体）の像コントラストが最大となるレンズ位置又は撮影対象（主要被写体）像の位相差から求められる像合焦位置のレンズ位置を自動的に検出し、検出されたレンズ位置に撮影レンズ位置を設定する自動焦点位置設定処理（ＡＦ処理という）により行われるのが普通である。
【００１０】
そして、これらのＡＥ処理やＡＦ処理は、撮影動作処理のレリーズ動作が行われる直前のタイミングでカメラの制御によって自動的に実行されるようになっている。
【００１１】
このことは、リモートコントロールにより撮影動作を行うカメラシステムにおいても同様に、上記ＡＥ処理や上記ＡＦ処理をレリーズ動作の直前に自動的に実行するようになっているのが普通である。
【００１２】
従来のカメラにおいては、上記ＡＥ処理やＡＦ処理の対象とする画像上の位置（以下、ＡＥ／ＡＦ検出位置という）として、例えば撮影対象を観察するためのファインダー装置により規定される撮影画面（即ち撮影画像と同等の範囲）内の略中央部分の所定の範囲の領域を固定的に規定したものが一般的である。
【００１３】
この構成の従来のカメラを用いて撮影を行う場合の操作の流れを考えてみる。操作者は、まず、カメラの向き（レンズ光軸の指す向き）を設定するフレーミング操作を行う。この場合、撮影を所望する主要被写体がカメラに規定されているＡＥ／ＡＦ検出位置となるようにフレーミングを行なう。フレーミングが決まったら、続いて、ＡＥ処理やＡＦ処理の実行を開始させる操作（例えばレリーズボタンの半押し操作）を行う。その後、レリーズ操作（例えばレリーズボタンの全押し操作）を行って撮影動作を実行する。
【００１４】
一方、例えば一眼レフレックスカメラ等のように、より高度な撮影を行うのに適したカメラでは、所望の被写体に応じて撮影者によるフレーミングの自由度を広く確保するために、ＡＥ／ＡＦ検出位置を撮影画面の中央部分だけでなく、撮影画面内において左右方向又は上下方向に偏った位置の所定の範囲の領域をＡＥ／ＡＦ検出位置として設定し得るようにしたものがある。
【００１５】
そこで、このような形態の一眼レフレックスカメラをコントローラで遠隔制御して撮影動作を行う場合において、ＡＥ／ＡＦ検出位置の設定をコントローラ側の操作で容易に行なうことができれば便利である。
【００１６】
本発明は、上述した点に鑑みてなされたものであって、その目的とするところは、カメラと、このカメラを外部から制御するコントローラとからなるカメラシステムにおいて、コントローラによってカメラの撮影動作を制御する際に、カメラのＡＥ検出位置やＡＦ検出位置の設定を、コントローラ側の操作で簡単に行うことができるようにしたカメラシステムと、このカメラシステムにおけるコントローラの制御方法と、この制御方法を実現するコントローラのプログラムを提供することである。
【課題を解決するための手段】
【００１７】
上記目的を達成するために、本発明によるカメラシステムは、カメラとこのカメラを外部から制御するコントローラとからなるカメラシステムにおいて、上記カメラは、上記コントローラとの間で画像及び撮影条件に関する情報を通信するカメラ通信部と、上記コントローラから送信された撮影条件に関する情報に従って上記カメラを制御するリモート制御部とを備え、上記コントローラは、上記カメラとの間で画像及び撮影条件に関する情報を通信する通信部と、上記カメラ通信部から送信され上記通信部により受信した画像データに基くモニタ画像を表示する表示部と、上記表示部に表示中のモニタ画像上で主要被写体の位置を指示する操作部とを備え、上記通信部は、撮影条件に関する情報として上記操作部により指示された上記主要被写体の位置に関する情報を送信し、上記カメラ通信部は、上記通信部から送信された上記主要被写体の位置に関する情報を受信し、上記リモート制御部は、上記カメラ通信部が受信した上記主要被写体の位置に関する情報に基いて上記カメラの撮影条件を設定する制御を行うことを特徴とする。
【００１８】
本発明によるコントローラの制御方法は、撮像画像を含む情報をカメラと通信して、このカメラを外部から制御するコントローラの制御方法において、上記カメラから送信されるモニタ画像を表示し、上記モニタ画像上で指示されるＡＥ検出位置又はＡＦ検出位置に関する情報を上記カメラに送信することを特徴とする。
【００１９】
本発明によるコントローラのプログラムは、撮像画像を含む情報をカメラと通信して、このカメラを外部から制御するコントローラのプログラムにおいて、上記カメラから送信されるモニタ画像を表示するステップと、上記モニタ画像上で指示されるＡＥ検出位置又はＡＦ検出位置に関する情報を上記カメラに送信するステップとを含むことを特徴とする。
【発明の効果】
【００２０】
本発明によれば、カメラと、このカメラを外部から制御するコントローラとからなるカメラシステムにおいて、コントローラによってカメラの撮影動作を制御する際に、カメラのＡＥ検出位置やＡＦ検出位置の設定を、コントローラ側の操作で簡単に行うことができるようにしたカメラシステムと、このカメラシステムにおけるコントローラの制御方法と、この制御方法を実現するコントローラのプログラムを提供することができる。
【発明を実施するための最良の形態】
【００２１】
以下、図示の実施の形態によって本発明を説明する。
【００２２】
図１は、本発明の一実施形態のカメラシステム全体の概略構成を示すシステム構成図である。図２は、図１のカメラシステムにおけるコントローラとカメラとのそれぞれの内部構成の概略を示すブロック構成図である。
【００２３】
まず、本発明の一実施形態のカメラシステムの概略構成を、図１を用いて以下に説明する。
【００２４】
本実施形態のカメラシステムは、光学的な被写体像を画像データとして取得し記録媒体に記憶するデジタルカメラ（以下、単にカメラという）２と、このカメラ２の動作を外部から制御するコントローラ１とによって構成されるものである。
【００２５】
図１に示すように、コントローラ１は、表示部１８と、複数の操作部材等を有して構成される。複数の操作部材としては、例えば四方向選択ボタン２１（２１Ｌ，２１Ｒ，２１Ｄ，２１Ｕ），決定ボタン２１ａ，メニューボタン２２，ＡＦ／ＡＥボタン２２ｂ，レリーズボタン２３等がある。これら複数の操作部材は、その外装表面上の各所定の位置に配設されている。
【００２６】
四方向選択ボタン２１は、表示部１８に表示される操作画面上の所望の項目を選択指示したり、同表示部１８に表示される画像に重畳表示される位置設定指標（マーク；詳細は後述する）を所望の位置に移動させるための操作等を行う操作部材であって、例えば
選択項目指標や位置設定指標を表示画面内の左方向へ移動させる左方向選択ボタン２１Ｌと、
選択項目指標や位置設定指標を表示画面内の右方向へ移動させる右方向選択ボタン２１Ｒと、
選択項目指標や位置設定指標を表示画面内の下方向へ移動させる下方向選択ボタン２１Ｄと、
選択項目指標や位置設定指標を表示画面内の上方向へ移動させる上方向選択ボタン２１Ｕと、
がある。
【００２７】
また、決定ボタン２１ａは、上記四方向選択ボタン２１によって選択指示した項目を決定指示したり、上記四方向選択ボタン２１によって移動させた位置設定指標の位置を確定するための操作部材である。
【００２８】
メニューボタン２２は、所定の表示画面を表示部１８に表示させる際に操作する操作部材である。
【００２９】
ＡＦ／ＡＥボタン２２ｂは、コントローラ１を用いてコントローラ１の制御によってカメラ２が実行する撮影動作のうちＡＥ処理やＡＦ処理の実行を開始させる際の操作部材である。
【００３０】
レリーズボタン２３は、当該コントローラ１を用いて制御対象のカメラ２を遠隔操作するのに際し、コントローラ１の制御によってカメラ２が実行する撮影動作のうちレリーズ処理の実行の際に操作する操作部材である。なお、レリーズボタン２３の半押し操作でＡＥ処理やＡＦ処理の実行開始の指示操作とし、全押し操作でレリーズ処理を実行するような制御としてもよい。
【００３１】
上記コントローラ１によって制御される対象のカメラ２としては、例えばレンズ交換可能な一眼レフレックス式のデジタルカメラや通常のコンパクトタイプのデジタルカメラ等がある。本実施形態のカメラシステムにおいては、コントローラ１の制御対象とするカメラ２の形態を一眼レフレックス式のデジタルカメラとしており、その具体例として、図１の符号２で示す形態の一眼レフレックスカメラを提示している。
【００３２】
カメラ２は、例えばカメラ本体４６の前面に着脱自在に配置される交換レンズ部４３を具備し、カメラ本体４６の背面にはカメラ表示部３８が設けられ、カメラ本体４６の上面には情報表示部４２が設けられ、カメラ本体４６の外装表面上の所定の位置に複数の操作部材を有して構成されている。
【００３３】
操作部材としては、図１に示すように、例えば四方向選択ボタン４１（４１Ｌ，４１Ｒ，４１Ｄ，４１Ｕ），決定ボタン４１ａ，メニューボタン４１ｂ，レリーズボタン４１ｃ等がある。これら複数の操作部材は、カメラ本体４６の外装表面上の所定の位置にそれぞれ配設されている。
【００３４】
四方向選択ボタン４１は、カメラ表示部３８に表示される操作画面上の所望の項目を選択指示したり、同表示部３８に表示される画像に重畳表示される位置設定指標（詳細は後述する）を所望の位置に移動させるための操作等を行う操作部材であって、例えば
選択項目指標や位置設定指標を表示画面内の左方向へ移動させる左方向選択ボタン４１Ｌと、
選択項目指標や位置設定指標を表示画面内の右方向へ移動させる右方向選択ボタン４１Ｒと、
選択項目指標や位置設定指標を表示画面内の下方向へ移動させる下方向選択ボタン４１Ｄと、
選択項目指標や位置設定指標を表示画面内の上方向へ移動させる上方向選択ボタン４１Ｕと、
がある。
【００３５】
また、決定ボタン４１ａは、上記四方向選択ボタン４１によって選択指示した項目を決定指示したり、上記四方向選択ボタン４１によって移動させた位置設定指標の位置を確定するための操作部材である。
【００３６】
メニューボタン４１ｂは、カメラ表示部３８に操作画面を表示させる際に操作する操作部材である。
【００３７】
レリーズボタン４１ｃは、当該カメラ２が実行する撮影動作のうちＡＥ処理やＡＦ処理の実行開始の際に操作する操作部材である。
【００３８】
なお、図１で示すカメラ２の形態は、単なる例示であって、本実施形態のコントローラ１の制御対象となるカメラの形態としては、図示の形態のカメラに限られるものではなく、他の形態のカメラであってもよいのは勿論である。
【００３９】
上記コントローラ１と、上記カメラ２とを組み合わせた形態で、本実施形態のカメラシステムが構成される。この場合において、コントローラ１とカメラ２とは、所定の通信形式に基いて画像データや制御信号等、各種のデータについての通信を行うようになっている。これにより、コントローラ１は、カメラ２を外部から制御することができるようになっている。
【００４０】
コントローラ１とカメラ２との間で行われる通信形式としては、例えば赤外線を利用した光無線通信の規格であるＩｒＤＡ（アイアールディーエイ；Infrared Data Association）のほか、ブルートゥース（Bluetooth：登録商標）規格，Ｗｉ−Ｆｉ（ワイファイ；Wireless Fidelity）規格，ＷＵＳＢ（ワイヤレスUSB；Wireless USB）規格等の無線通信規格に準拠した無線形式によるものが適用される。また、このほかにもＵＳＢ（ユーエスビー；Universal Serial Bus）規格等、有線による通信形式を適用することも可能である。
【００４１】
次に、本実施形態のカメラシステムにおけるコントローラ１と、このコントローラ１の制御対象となるカメラ２とのそれぞれの内部構成の概略について、図２を用いて以下に説明する。
【００４２】
まず、コントローラ１は、図２に示すように制御部１１，ＲＯＭ１２，操作部１３，ＲＡＭ１４，記録再生部１５，記録媒体部１６，表示制御部１７，表示部１８，通信部１９，バスライン２０，アンテナ５４等を具備して構成される。
【００４３】
制御部１１は、プログラムに基いて上記コントローラ１の全体を統括的に制御するものである。制御部１１には、ＲＯＭ１２，操作部１３等の上記各構成部がバスライン２０や専用の信号線等を介して電気的に接続されている。
【００４４】
制御部１１には、上記各操作部材（２１，２２，２３等）に連動する操作部１３からの指示信号を受けて各対応する制御信号を発する操作制御部１１ａがプログラムにより実行される処理機能として設けられている。
【００４５】
ＲＯＭ１２は、制御部１１を制御するための制御用プログラムや表示部１８に表示される操作画面用データ，各種情報を示すアイコン表示用データ，ＡＥ指標やＡＦ指標（詳細は後述する）等の指標表示用データ等が格納される記憶領域を有し、不揮発性メモリ等によって構成される。
【００４６】
操作部１３は、操作者によって操作される上記各種の操作部材（２１，２２，２３等）に連動し、操作された操作部材に対応する指示信号を制御部１１の操作制御部１１ａへと通知する回路部である。
【００４７】
例えば、この操作部１３は、表示部１８に表示中の操作画面から操作者が操作部材を用いて操作入力を行った際に、操作した操作部材からの指示信号を受け付けて操作制御部１１ａに対して同指示信号を出力する。
【００４８】
ＲＡＭ１４は、揮発性メモリ等からなり、各種データ等を一時的に記憶するワークエリアとなる一時メモリである。
【００４９】
記録再生部１５は、通信動作により受信した画像データ等を記録媒体部１６に記憶する処理や、通信動作により受信しＲＡＭ１４に一時的に記憶されている画像データ又は記録媒体部１６に記憶済みの画像データ等を適宜所定のタイミングで、または指示に応じてＲＡＭ１４に読み出して伸張処理等を施して、表示制御部１７等へと引き渡す処理等を行うことで、画像データの記録動作や再生動作に寄与する回路部である。
【００５０】
記録媒体部１６は、例えばフラッシュメモリやハードディスク等の記録媒体を含んで構成され、記録再生部１５から出力される画像データ等を受けて所定の記録媒体に記録する構成部である。
【００５１】
表示制御部１７は、表示部１８の表示に関する制御を行う回路部である。この表示制御部１７は、記録再生部１５や通信部１９等から入力される画像データに基く画像の表示や、ＲＯＭ１２から読み出した操作画面用データ，アイコン表示用データ，ＡＥ指標／ＡＦ指標表示用データ等に基いて対応する表示を表示部１８に表示する処理等を行うことで、表示制御に寄与する回路部である。
【００５２】
表示部１８は、例えば液晶表示装置（ＬＣＤ）等からなり、表示制御部１７から出力された画像データや操作画面用データ，アイコン表示用データ，ＡＥ指標／ＡＦ指標表示用データ等に基いて、表示制御部１７の制御下で画像や各種表示の視覚化を実現する表示用装置である。この場合において、表示部１８が画像データに基く画像を表示する際には、画像データは、記録媒体部１６に蓄積された画像データであってもよいし、カメラ２から送信されて通信部１９によって受信された画像データであってもよい。
【００５３】
通信部１９は、上記コントローラ１とは別体に構成されるカメラ２との間で通信を行って、画像データや制御信号等をアンテナ５４を介してやり取りするための回路部である。そのために、この通信部１９にはアンテナ５４が接続されている。
【００５４】
アンテナ５４は、上記コントローラ１とは別体に構成されるカメラ２との間で通信を行う際の各種データや制御信号等の入出力部として機能するものである。
【００５５】
バスライン２０は、上記コントローラ１の内部構成部間を相互に電気的に接続するための信号線及びデータ線等から構成されている。
【００５６】
また、図２に示す通り、上記コントローラ１は、必要に応じて撮像部２５，レンズ部２６等を具備した構成としてもよい。これらの構成部については、本発明を構成するための必須の構成ではないことから、図２においては点線で囲って示している。
【００５７】
撮像部２５は、通常のカメラと同様に、撮像素子や画像処理回路等を有し、レンズ部２６により結像される被写体の光像を電気的な画像データに光電変換する撮影機能を備えているものである。
【００５８】
レンズ部２６は、光学レンズ等によって構成され、被写体の光像を撮像部２５の受光面に結像させるものである。
【００５９】
コントローラ１に撮像部２５，レンズ部２６を備えて構成した場合においては、撮像部２５から出力された画像データは、ＲＡＭ１４に一時的に格納される。このとき、ＲＡＭ１４は撮影画像データの一時メモリとして機能する。
【００６０】
また、記録再生部１５は、撮像部２５，レンズ部２６を用いて動作する撮影動作時には、取得した画像データを記録媒体部１６に記録する機能を有する。
【００６１】
さらにまた、操作部１３は、上述したように操作部材（２１，２２，２３等）に連動して、操作された操作部材に対応する指示信号を発するものであるが、これらの操作部材に代えて、又はこれらの操作部材に加えて、表示部１８の表示画面上にタッチパネル部２４を設けるようにしてもよい。
【００６２】
タッチパネル部２４は、操作部１３の一部として利用され得る回路部を含む構成部材であって、表示部１８の表示画面上に重畳配置される。このタッチパネル部２４を適用する場合の構成としては、上記操作部材（２１，２２，２３等）と併設する構成としてもよいし、上記操作部材（２１，２２，２３等）を廃してタッチパネル部２４のみを上記操作部材（２１，２２，２３等）に代わる操作部材として採用するような構成としてもよい。
【００６３】
次に、上記コントローラ１の制御対象となるカメラ２の構成の概略について、以下に説明する。
【００６４】
カメラ２は、図２に示すようにカメラ制御部３１，カメラＲＯＭ３２，カメラ操作部３３，カメラＲＡＭ３４，カメラ記録再生部３５，カメラ記録媒体部３６，カメラ表示制御部３７，カメラ表示部３８，カメラ通信部３９，バスライン４０，カメラアンテナ４４，カメラ撮像部４５，交換レンズ部４３，情報表示部４２等を具備して構成される。
【００６５】
カメラ制御部３１は、プログラムに基いて上記カメラ２の全体を統括的に制御する回路部である。このカメラ制御部３１は、上記カメラ２とは別体に構成されるコントローラ１との間で通信を行う際の制御を司るリモート制御部３１ａをプログラムにより実行される処理機能として有している。カメラ制御部３１には、カメラＲＯＭ３２，カメラ操作部３３，交換レンズ部４３，カメラ撮像部４５等の上記各構成部がバスライン４０や専用の信号線等を介して電気的に接続されている。
【００６６】
カメラＲＯＭ３２は、不揮発性メモリ等からなり、カメラ制御部３１を制御するための制御用プログラムや表示部１８に表示される操作画面用データ，各種情報を示すアイコン表示用データ，ＡＥ指標やＡＦ指標（詳細は後述する）等の指標表示用データ等が格納されている。
【００６７】
なお、上記操作画面用データは、操作画面を構成する表示用のデータと、この表示用データを用いて所定の形態の表示をカメラ表示部３８に行うための表示用プログラム等を含むものである。
【００６８】
カメラ操作部３３は、操作者が複数の操作部材のうちの任意の操作部材を操作することによって生じる操作指示信号を検出してカメラ制御部３１に通知する回路部である。
【００６９】
カメラＲＡＭ３４は、カメラ撮像部４５から出力された画像データを一時的に格納すると共に、撮影動作によって得られた画像データ等に対する各種のデジタル処理を行う際のワークエリアとなる一時メモリである。
【００７０】
カメラ記録再生部３５は、撮影動作時には取得した画像データの圧縮処理を施してカメラ記憶部であるカメラ記録媒体部３６に記憶させる処理を行う一方、再生動作時には圧縮された形態でカメラ記録媒体部３６に記憶されている所定の画像データを読み出して伸長処理した後、カメラＲＡＭ３４，カメラ表示制御部３７等へと引き渡す処理等、画像データの記録動作や再生動作に寄与する回路部である。
【００７１】
カメラ記録媒体部３６は、撮影動作によって取得された画像データ等をカメラ記録再生部３５の制御下で記録し保存する記録媒体、例えばフラッシュメモリやハードディスク等の記録媒体を含んで構成される構成部である。
【００７２】
カメラ表示制御部３７は、カメラ表示部３８に表示する画像や操作画面表示を行うための表示制御に寄与する回路部である。
【００７３】
カメラ表示部３８は、例えば液晶表示装置（ＬＣＤ）等からなり、カメラ表示制御部３７から出力された画像データや操作画面用データ，アイコン表示用データ，ＡＥ指標／ＡＦ指標表示用データ等に基いて、カメラ表示制御部３７の制御下で画像や各種表示の視覚化を実現する表示用装置である。この場合において、表示部３８が画像データに基く画像を表示する際には、画像データは、カメラ記録媒体部３６に蓄積された画像データであってもよいし、コントローラ１から送信されてカメラ通信部３９によって受信された画像データであってもよい。
【００７４】
カメラ通信部３９は、上記コントローラ１との間で画像データや制御信号等の通信を行って、画像データや制御信号等をアンテナ４４を介してやり取りするための回路部である。このカメラ通信部３９は、例えばカメラ記録媒体部３６に記録されている画像データ等をコントローラ１へと送信したり、コントローラ１からの制御信号等を受信するインターフェースとして機能する。そのために、カメラ通信部３９には、カメラアンテナ４４が接続されている。
【００７５】
カメラアンテナ４４は、コントローラ１との間で通信を行う際の各種データや制御信号等の入出力部として機能するものである。
【００７６】
バスライン４０は、上記カメラ２の内部構成部間を相互に電気的に接続するための信号線及びデータ線等から構成されている。
【００７７】
交換レンズ部４３は、光学レンズ，絞り機構，シャッター機構やこれらを駆動するアクチュエータ等の機構部品等によって構成されている。この交換レンズ部４３は、上述したようにカメラ本体４６（図１参照）に対して着脱自在に構成されている。
【００７８】
カメラ撮像部４５は、操作者のズーム操作に応じてなされるズーム制御，撮像素子の出力信号（コントラスト信号）等に基いて検出した合焦位置にフォーカス用レンズを移動させるオートフォーカス制御（ＡＦ制御）等の光学レンズの駆動制御や撮像素子の出力信号（輝度信号）に基いて交換レンズ部４３の絞り機構やシャッター機構等を制御する自動露出制御（ＡＥ制御）等、各種の制御を行う光学系制御部と、交換レンズ部４３により結像される被写体の光像を光電変換する撮像素子，この撮像素子から出力される電気信号を処理して画像データを出力する撮像処理部，この撮像処理部から出力されるアナログ信号をデジタル信号に変換するＡＤ変換部等の処理系回路等を有して構成されている。
【００７９】
情報表示部４２は、例えば小型のモノクロ液晶表示装置等からなり、カメラ２に設定済みの各種の情報を表示する表示装置である。
【００８０】
その他の構成については、従来の一般的なデジタルカメラと略同様である。したがって、その詳細な説明は省略する。
【００８１】
なお、本実施形態では、図１，図２に示すようにコントローラ１によって制御されるカメラ２の形態としてレンズ交換可能な一眼レフレックス式デジタルカメラを例に挙げて説明しているが、上記コントローラ１によって制御される対象のカメラ２としては、これに限ることはなく、その他の形態のカメラ、例えばコンパクトタイプのデジタルカメラ等であってもよいのは当然である。
【００８２】
上述のように構成される本実施形態のカメラシステムにおいて、コントローラ１とカメラ２との間で通信を行って、コントローラ１の操作でカメラ２を遠隔操作する際の作用の流れを以下に説明する。
【００８３】
図３は、本実施形態のカメラシステムにおいて、コントローラを用いてカメラを遠隔操作してカメラを制御する際の作用を示すフローチャートである。図３（Ａ）は、カメラ２をリモートモードで動作させる際の処理ステップを示すフローチャートであって、各ステップ番号を「Ｓｎ」（ｎは整数）で示している。また、図３（Ｂ）は、コントローラ１をリモートモードで動作させる際の処理ステップを示すフローチャートであって、各ステップ番号を「Ｔｎ」（ｎは整数）で示している。
【００８４】
まず、カメラ２側において、操作者によってカメラ２の操作部材のうち電源ボタン（図示せず）が操作されると、同カメラ２の電源状態はオン状態となる。
【００８５】
カメラ２が電源オン状態とされると、カメラ制御部３１は、図３（Ａ）に示すステップＳ１１において、カメラ操作部３３の出力信号を監視して、操作者によってカメラ２の操作部材のうち動作モードを切り換えるための所定の操作部材が操作されてリモートモードへの動作切換操作がなされたか否かの確認を行う。
【００８６】
なお、カメラ２の動作モードとしては、コントローラ１との間で通信を行って、通信相手のコントローラ１による動作制御を受け入れるリモートモードと、本カメラ２が単体で動作するローカルモード等がある。
【００８７】
カメラ２がリモートモードで動作する際には、コントローラ１との通信を行って同コントローラ１の遠隔操作による制御下でコントローラ１からの指示信号に従って撮影動作を実行したり、カメラ記録媒体部３６に蓄積された画像データを扱う再生動作、例えば記録済み画像データをコントローラ１の側に転送する等の処理が行われる。
【００８８】
また、カメラ２のローカルモードでは、通常の一般的なデジタルカメラとしての機能（例えば撮影動作や画像再生動作等）を単体で実行する制御がカメラ制御部３１の制御下でなされる。
【００８９】
上述のステップＳ１１の処理において、リモートモードへの動作切換操作が行われたと判断された場合には、次のステップＳ１３の処理に進む。
【００９０】
ステップＳ１３において、カメラ制御部３１は、コントローラ１との通信確立処理を実行する。ここで、所定時間以内に通信相手であるコントローラ１との間で通信が確立し得なかった場合（タイムアウトの場合）には、所定のエラー処理が実行される。このエラー処理としては、例えば通信が確立できなかった旨の警告表示をカメラ表示部３８に表示すると共に、操作者に何らかの操作入力を促す等の処理である。そして、通信が確立した場合には、ステップＳ１４の処理に進む。
【００９１】
一方、上述のステップＳ１１の処理において、リモートモードへの動作切換操作が行われていないと判断された場合には、ステップＳ１２の処理に進む。
【００９２】
ステップＳ１２において、カメラ制御部３１は、カメラ２の動作モードが本カメラ２が単体で動作するローカルモードに設定されているものと判断して、カメラ２をローカルモードで動作させる処理の実行を開始する。そして、ローカルモードでの動作中に、例えばリモートモード又は再生モードへの動作切換操作の指示信号を検出した場合には、ローカルモードでの動作を終了して、上述のステップＳ１１の処理に戻り、以降の処理を繰り返す。
【００９３】
一方、コントローラ１側においては、操作者によってコントローラ１の操作部材のうち電源ボタン（図示せず）が操作されると、コントローラ１の電源状態はオン状態となる。
【００９４】
コントローラ１が電源オン状態とされると、制御部１１は、図３（Ａ）に示すステップＴ１１において、操作部１３の出力信号を監視して、操作者によってコントローラ１の操作部材のうち動作モードを切り換えるための所定の操作部材が操作されてリモートモードへの動作切換操作がなされたか否かの確認を行う。
【００９５】
なお、コントローラ１の動作モードとしては、上述のカメラ２と同様に、リモートモードとローカルモード等がある。リモートモードは、カメラ２との間で通信を行ってカメラ２を動作制御する動作モードである。また、ローカルモードは、コントローラ１が単体で動作する動作モードである。
【００９６】
コントローラ１がリモートモードで動作する際には、カメラ２との通信を行って同カメラ２を遠隔操作により制御して撮影動作を実行させたり、カメラ２のカメラ記録媒体部３６に蓄積された画像データをコントローラ１の側に転送する等の処理を実行することができる。
【００９７】
また、コントローラ１のローカルモードでは、記録媒体部１６に蓄積された画像データに基づく画像を再生表示する等の制御によりいわゆる画像ビュワー（ＶＩＥＷＥＲ）として機能させたり、コントローラ１がレンズ部２６，撮像部２５等を具備している場合には、これらを用いて撮影動作を行って通常のデジタルカメラとして機能させる等の制御を行うことができる。
【００９８】
上述のステップＴ１１の処理において、制御部１１は、上記動作切換操作によって生じる指示信号、即ちリモートモードへのモード切換指示信号が生じたか否かの確認を行う。ここで、リモートモードへの動作切換操作が行われたと判断された場合には、次のステップＴ１３の処理に進む。
【００９９】
ステップＴ１３において、制御部１１は、カメラ２との通信確立処理を実行する。ここで、所定時間以内に通信相手であるカメラ２との間で通信が確立し得なかった場合（タイムアウトの場合）には、所定のエラー処理が実行される。このエラー処理としては、例えば通信が確立できなかった旨の警告表示を表示部１８に表示すると共に、操作者に何らかの操作入力を促す等の処理である。そして、通信が確立した場合には、ステップＴ１４の処理に進む。
【０１００】
一方、上述のステップＴ１１の処理において、リモートモードへの動作切換操作が行われていないと判断された場合には、ステップＴ１２の処理に進む。
【０１０１】
ステップＴ１２において、制御部１１は、コントローラ１の動作モードがコントローラ１が単独で動作するローカルモードに設定されているものと判断して、コントローラ１をローカルモードで動作させる処理の実行を開始する。そして、ローカルモードでの動作中に、例えばリモートモード又は再生モードへの動作切換操作による各対応する指示信号や電源オフ操作等の指示信号等が検出された場合には、上述のステップＴ１１の処理に戻り、以降の処理を繰り返す。
【０１０２】
なお、上述のステップＳ１３の処理におけるカメラ制御部３１による通信確立処理と、上述のステップＴ１３の処理における制御部１１による通信確立処理では、両者の制御部（１１，３１）は、互いの機器情報、例えば機種を特定するデータ等をやりとりして、互いが通信相手として適した機器であるかの確認処理等を行う。
【０１０３】
そして、コントローラ１とカメラ２との間の通信が確立すると、コントローラ１の制御部１１は、表示制御部１７を介して表示部１８を制御して、設定されている動作モードに応じた所定の操作画面を表示部１８に表示する。その後、ステップＴ１４の処理に進む。
【０１０４】
ステップＴ１４において、制御部１１は、リモートモードにおける動作モードとして、撮影コントロールモードが選択指示されたか否かの確認を行う。ここで、撮影コントロールモードが選択指示されたことが確認されると、ステップＴ１５の処理に進む。
【０１０５】
ステップＴ１５において、制御部１１は、撮影コントロールモードにおける各種の撮影条件についての設定を行う。ここで行われる撮影条件の設定とは、例えば撮影時の駆動制御の設定，ブラケット撮影の設定等であるが、その設定自体は本発明と関連するところではないので詳細説明を省略する。その後、ステップＴ１６の処理に進む。
【０１０６】
ステップＴ１６において、制御部１１は、撮影コントロールモードにおける各設定情報を通信部１９，アンテナ５４を介してカメラ２へと送信する処理を実行する。その後、ステップＴ１９の処理に進む。
【０１０７】
一方、上述のステップＴ１４の処理にて、撮影コントロールモードが選択指示されていないこと、即ち再生コントロールモードが選択指示されたことが確認されると、ステップＴ１７の処理に進む。
【０１０８】
ステップＴ１７において、制御部１１は、再生コントロールモードにおける各種の再生条件についての設定を行う。ここで行われる再生条件の設定についての詳細についても説明を省略する。その後、ステップＴ１８の処理に進む。
【０１０９】
ステップＴ１８において、制御部１１は、再生コントロールモードにおける各設定情報を通信部１９，アンテナ５４を介してカメラ２へと送信する処理を実行する。その後、ステップＴ２０の処理に進む。
【０１１０】
上述のステップＴ１６及びステップＴ１８の各処理にて行われる送信処理を受けて、カメラ２のカメラ制御部３１は、図３（Ａ）のステップＳ１４において、カメラアンテナ４４，カメラ通信部３９を制御して設定情報受信処理を実行する。これにより、コントローラ１から送信された設定情報は、カメラ２のカメラアンテナ４４，カメラ通信部３９を介して受信され、カメラＲＡＭ３４に一時的に記憶される。その後、ステップＳ１５の処理に進む。
【０１１１】
ステップＳ１５において、カメラ制御部３１は、カメラ２の動作モードがリモートモードにおける撮影モードに設定されているか否かの確認を行う。ここで、撮影モードに設定されていることが確認された場合には、ステップＳ１６の処理に進む。
【０１１２】
ステップＳ１６において、カメラ制御部３１は、撮影動作を実行するための撮影実行処理を実行する。撮影実行処理の詳細については、図４（Ａ）によって後述する。この撮影実行処理を終えた後は、ステップＳ１８の処理に進む。
【０１１３】
一方、上述のステップＳ１５の処理において、カメラ２の動作モードが撮影モードに設定されておらず再生モードに設定されていることが確認された場合には、ステップＳ１７の処理に進む。
【０１１４】
ステップＳ１７において、カメラ制御部３１は、再生モードでの動作を実行するための再生実行処理を実行する。この再生実行処理の詳細については、本発明と関連しない部分であるのでその説明は省略する。この再生実行処理を終えた後は、ステップＳ１８の処理に進む。
【０１１５】
ステップＳ１８において、カメラ制御部３１はカメラ操作部３３の出力信号を監視して、電源オフ操作がなされたか否かの確認を行う。ここで、電源オフ信号を検出してオフ操作されたことが確認された場合には、一連の処理を終了する（エンド）。また、電源オフ信号が検出されない場合には電源オフ操作されなかったものと判断されて、次のステップＳ１９の処理に進む。
【０１１６】
ステップＳ１９において、カメラ制御部３１は、カメラアンテナ４４，カメラ通信部３９を介してコントローラ１からのモード切換指示信号（後述するステップＴ２２参照）が受信されたか否かの確認を行う。ここで、モード切換指示信号を受信した場合には、上述のステップＳ１４の処理に戻り、以降の処理を繰り返す。
【０１１７】
一方、モード切換指示信号が受信されない場合には、上述のステップＳ１５の処理に戻り、以降の処理を繰り返す。
【０１１８】
図３（Ｂ）のコントローラ１の処理シーケンスに戻る。上述のようにして、撮影コントロールモードの設定情報又は再生コントロールモードの設定情報のカメラ２への送信処理が終了すると、同図のステップＴ１９又はステップＴ２０の処理に進む。
【０１１９】
まず、撮影コントロールモードの設定情報送信処理の後、ステップＴ１９において、制御部１１は、撮影指示処理を実行する。この撮影指示処理の詳細については、図４（Ｂ）によって後述する。この撮影指示処理を終えた後は、ステップＴ２１の処理に進む。
【０１２０】
一方、再生コントロールモードの設定情報送信処理の後、ステップＴ２０において、制御部１１は、再生指示処理を実行する。この再生指示処理の詳細については、本発明と関連しない部分であるのでその説明は省略する。再生指示処理を終えた後は、ステップＴ２１の処理に進む。
【０１２１】
ステップＴ２１において、制御部１１は操作部１３の出力信号を監視して、電源オフ操作がなされたか否かの確認を行う。ここで、電源オフ信号を検出してオフ操作されたことが確認された場合には、一連の処理を終了する（エンド）。また、電源オフ信号が検出されない場合には電源オフ操作されなかったものと判断されて、次のステップＴ２２の処理に進む。
【０１２２】
ステップＴ２２において、制御部１１は、操作部１３の出力信号を監視してモード切換指示信号が検出され、当該信号が通信部１９，アンテナ５４を介して送信されたか否かの確認を行う（上述のステップＳ１９参照）。ここで、モード切換指示信号が送信されたことが確認された場合には、次のステップＴ２３の処理に進む。
【０１２３】
ステップＴ２３において、制御部１１は、上述のステップＴ２２の処理で検出したモード切換指示信号が、撮影モードから再生モードへ切り換える指示信号であるか否かの確認を行う。ここで、検出信号が撮影モードから再生モードへの切換指示信号であることが確認された場合には、上述のステップＴ２０の処理に戻り、以降同様の処理を実行する。一方、検出信号が撮影モードから再生モードへの切換指示信号ではないことが確認された場合には、上述のステップＴ１９の処理に戻り、以降同様の処理を実行する。
【０１２４】
一方、上述のステップＴ２２の処理において、モード切換指示信号が送信されなかったことが確認された場合には、ステップＴ２４の処理に進む。
【０１２５】
ステップＴ２４において、制御部１１は、操作部１３の出力信号を監視して動作モードをローカルモードへと切り換える操作がなされることにより生じる動作モード切換指示信号が検出されたか否かの確認を行う。ここで、当該動作モード切換指示信号が確認された場合には、上述のステップＴ１２の処理に戻り、以降の処理を繰り返す。一方、動作モード切換指示信号が確認されなかった場合には、上述のステップＴ１４の処理に戻り、以降の処理を繰り返す。
【０１２６】
次に、コントローラ１で実行される撮影指示処理（図３（Ｂ）のステップＴ１９の処理）と、この撮影指示処理に呼応してカメラ２で実行される撮影実行処理（図３（Ａ）のステップＳ１６の処理）の詳細について、図４を用いて以下に説明する。
【０１２７】
図４は、本実施形態のカメラシステムにおいて、コントローラの撮影指示処理（図３（Ｂ）のステップＴ１９の処理）とカメラの撮影実行処理（図３（Ａ）のステップＳ１６の処理）とを並べて示すフローチャートである。なお、図４（Ａ）は、カメラ２の撮影実行処理の流れを示し、各ステップ番号を「Ｓｎ」（ｎは整数）で示している。また、図４（Ｂ）は、コントローラ１の撮影指示処理の流れを示し、各ステップ番号を「Ｔｎ」（ｎは整数）で示している。
【０１２８】
まず、コントローラ１の撮影指示処理が実行されると、図４（Ｂ）のステップＴ３１において、制御部１１は、操作部１３の出力信号を監視して、操作者がメニュー操作を行う操作部材（メニューボタン２２）を操作したか否かの確認を行う。ここで、メニュー操作が確認された場合には、次のステップＴ３２の処理に進む。また、メニュー操作が確認されない場合には、ステップＴ３５の処理に進む。
【０１２９】
ステップＴ３２において、制御部１１は、ＲＯＭ１２から操作画面用メニューデータを読み出すと共に表示制御部１７を介して表示部１８を制御して表示部１８にメニュー表示を行うためのメニュー表示処理を実行する。その後、ステップＴ３３の処理に進む。
【０１３０】
ステップＴ３３において、制御部１１は、操作部１３の出力信号を監視して撮影条件の変更操作がなされたか否かの確認を行う。ここで、撮影条件変更操作が確認された場合には、ステップＴ３４の処理に進む。また、撮影条件変更操作が確認されない場合には、ステップＴ４０の処理に進む。
【０１３１】
ステップＴ３４において、制御部１１は、上述のステップＴ３３の処理にて変更操作が行われた撮影条件に関する情報（撮影条件変更指示情報という）を送信する撮影条件送信処理を実行する（後述のステップＳ３１参照）。その後、ステップＴ４０の処理に進む。
【０１３２】
一方、上述のステップＴ３１の処理で、メニュー操作がなされておらずにステップＴ３５の処理に進むと、このステップＴ３５において、制御部１１は、カメラ２から送信されてくるモニタ画像データ（後述するステップＳ３３参照）を通信部１９，アンテナ５４を用いて受信し、このモニタ画像データに基いて表示部１８にモニタ画像を表示させる処理、即ちモニタ画像受信表示処理を実行する。その後、ステップＴ３６の処理に進む。
【０１３３】
一方、カメラ２の撮影実行処理が実行されると、図４（Ａ）のステップＳ３１において、カメラ制御部３１は、カメラ通信部３９を監視して、コントローラ１から撮影条件変更指示情報（図４（Ｂ）の上記ステップＴ３４参照）が受信されたか否かの確認を行う。ここで、撮影条件変更指示情報の受信が確認された場合には、ステップＳ３２の処理に進む。また、撮影条件変更指示情報の受信が確認されない場合には、ステップＳ３３の処理に進む。
【０１３４】
ステップＳ３２において、カメラ制御部３１は、撮影条件変更処理を実行する。その後、ステップＳ３３の処理に進む。
【０１３５】
ステップＳ３３において、カメラ制御部３１は、カメラ撮像部４５によって取得した画像データに基づくモニタ画像データの送信処理（図４（Ｂ）の上記ステップＴ３５参照）を実行する。その後、ステップＳ３４の処理に進む。
【０１３６】
なお、上記ステップＳ３３の処理にて送信されるモニタ画像データは、上述したようにカメラ撮像部４５で取得される画像データに基づくデータが送信される。この送信処理において、実際に送信される画像データは、取得されたそのままの画像データ、又はリサイズ処理済みの画像データである。ここで、画像データ自体を送信処理に供した場合には、これを受信したコントローラ１の側では、各種のデータ処理を行なうことで、さまざまな形態の画像表示を行なうことができる。
【０１３７】
また、リサイズ処理済みの画像データは、小さなデータサイズであることから、これを送信処理に供するようにした場合には、コントローラ１に搭載される小型の表示部１８で画像表示するのに適すると共に、データ送信処理にかかる負荷を軽減し高速に送信することができるという利点がある。
【０１３８】
これを受けて、コントローラ１は、上述したように、図４（Ｂ）の上記ステップＴ３５の処理にて、モニタ画像受信表示処理を行う。その後、ステップＴ３６の処理に進む。
【０１３９】
ここで、上述のステップＴ３５の処理において、表示部１８に表示されるモニタ画像の表示例を図５（Ａ）に示す。
【０１４０】
図５は、本実施形態のカメラシステムにおける撮影指示処理時のコントローラの表示部の表示例である。このうち、図５（Ａ）は、モニタ画像受信表示処理時の初期画面を示している。
【０１４１】
図５（Ａ）に示す表示例の表示画面１８ａにおいては、カメラ２から送信されコントローラ１によって受信されたモニタ画像データに基づくモニタ画像が表示部１８の画面全体を用いて表示されている。
【０１４２】
この表示画面１８ａにおいては、モニタ画像の表示例として、画面内の領域Ｚに近景の被写体が、同領域Ｙに中景の被写体が、同領域Ｘに遠景の被写体が表示されているものとする。
【０１４３】
そして、表示画面１８ａの画面内の所定の部位には、ＡＦ処理及びＡＥ処理を実行することができる動作モードにある旨を示すＡＦ／ＡＥ表示１８ｓが表示されている。
【０１４４】
上述したように、カメラ２及びコントローラ１とが撮影コントロールモードで動作しており、カメラ２からモニタ画像（データ）が送信された後（図４（Ａ）ステップＳ３３）、これをコントローラ１が受信して対応するモニタ画像が表示部１８に表示されると（図４（Ｂ）ステップＴ３５）、この状態において、コントローラ１は、ＡＦ処理及びＡＥ処理を実行し得る状態（動作モード）となっている。そこで、この状態表示のために、図５（Ａ）の表示画面１８ａにおいて、ＡＦ／ＡＥ表示１８ｓが表示されるようになっている。
【０１４５】
この状態にあるときに、操作者により、例えばＡＦ／ＡＥボタン２２ｂの押圧操作、若しくはレリーズボタン２３の半押し操作等が行われて、ＡＦ処理及びＡＥ処理の実行が開始される。
【０１４６】
図５（Ｂ）は、図５（Ａ）の状態からＡＦ設定モードに切り換えた直後の初期画面を示している。
【０１４７】
この表示画面１８ｂにおいては、図５（Ａ）の表示画面１８ａに対して、フォーカス位置を指定するためのフォーカスマーク１８ｔが新たに表示されている。このフォーカスマーク１８ｔは、初期状態においては画面略中央部分に表示される。そして、このフォーカスマーク１８ｔに対応する画像領域の被写体に対してフォーカス調整がなされる。これにより、図５（Ｂ）の表示状態では、中景領域Ｙが合焦状態となり、近景領域Ｚ及び遠景領域Ｙはアウトフォーカス状態となっている。なお、図５（Ｂ）では、アウトフォーカス状態を表すために、画像の絵柄を太線で示している（以下同様）。
【０１４８】
図５（Ｂ）の表示画面１８ｂが表示されている状態において、操作者は、操作部材のうち、例えば四方向選択ボタン４１又はタッチパネル部２４等を用いることで、フォーカスマーク１８ｔの位置を表示画面１８ｂ内における所望の位置に変更することができるようになっている。
【０１４９】
図５（Ｂ）の表示状態からフォーカスマーク１８ｔの位置を任意の位置に変更することでフォーカス位置の変更設定を行うと、例えば図５（Ｃ）の表示状態となる。
【０１５０】
図５（Ｃ）は、図５（Ｂ）の状態で操作者がコントローラの操作部材によってフォーカス位置を変更する操作を行った後の表示画面を示している。図５（Ｂ）は、この場合の表示例として、近景領域Ｚの画像上の任意の部位にフォーカス位置を設定した例を示している。
【０１５１】
図５（Ｂ）の表示画面１８ｂの表示中に画面略中央部に表示されるフォーカスマーク１８ｔの位置を、図５（Ｃ）の表示画面１８ｃに示すように、モニタ画像内の近景領域Ｚの被写体に重畳表示させるように位置変更操作をすることで、フォーカス位置の変更設定が行われる。これにより、図５（Ｃ）の表示状態となる。
【０１５２】
この図５（Ｃ）の表示状態から、さらにフォーカスマーク１８ｔの位置を変更してフォーカス位置の変更設定をした場合には図５（Ｄ）の表示状態となる。
【０１５３】
図５（Ｄ）は、図５（Ｃ）の状態からさらに操作者がコントローラの操作部材によってフォーカス位置の変更操作を行った際の表示画面を示している。図５（Ｄ）は、この場合の表示例として、遠景領域Ｘの画像上の任意の部位にフォーカス位置を設定した例を示している。
【０１５４】
この場合には、図５（Ｃ）の表示画面１８ｃのフォーカスマーク１８ｔ（近景領域Ｚ）の位置を、図５（Ｄ）の表示画面１８ｄに示すように、モニタ画像内の遠景領域Ｘの被写体に重畳表示させるように位置変更操作を行う。これによりフォーカス位置変更設定が行われて、図５（Ｄ）の表示状態となる。
【０１５５】
ここで、図４（Ｂ）の処理シーケンスに戻る。上述のステップＴ３５の処理にて、モニタ画像受信表示処理を行った後、ステップＴ３６において、制御部１１は、操作部１３からの出力信号を監視して、フォーカス位置を変更設定する操作が行われたか否かの確認を行う。ここで、フォーカス位置変更設定操作が行われたことが確認された場合には、ステップＴ３７の処理に進む。また、フォーカス位置変更設定操作が行われていないことが確認された場合には、ステップＴ３８の処理に進む。
【０１５６】
ステップＴ３７において、制御部１１は、フォーカス位置に関する情報を送信する処理を実行する。その後、ステップＴ３８の処理に進む。
【０１５７】
これを受けて、カメラ制御部３１は、図４（Ａ）のステップＳ３４において、カメラ通信部３９を介してコントローラ１からのフォーカス位置に関する位置変更情報を受信したか否かの確認を行う。このフォーカス位置変更情報は、上述の例で言えば、図５（Ｂ）の表示状態から図５（Ｃ）への表示状態への移行時、若しくは図５（Ｃ）の表示状態から図５（Ｄ）への表示状態への移行時等において、フォーカスマーク１８ｔの位置変更操作に関する情報である。
【０１５８】
ここで、フォーカス位置変更情報の受信が確認された場合には、ステップＳ３５の処理に進む。また、フォーカス位置変更情報の受信が確認されない場合には、ステップＳ３６の処理に進む。
【０１５９】
ステップＳ３５において、カメラ制御部３１は、カメラ２側の設定においてフォーカス位置を変更するためのフォーカス位置変更処理を実行する。このフォーカス位置変更処理においては、カメラ２の側でＡＦ処理を実行する際のフォーカス位置の設定と同時に、設定された位置でのＡＦ処理と、その結果、得られるモニタ画像のデータをコントローラ１へとフィードバック送信する処理等、一連の処理が含まれる。その後、ステップＳ３６の処理に進む。
【０１６０】
なお、コントローラ１においては、上述のステップＴ３７の送信処理の後、上述のカメラ２からのモニタ画像の受信処理を継続して行っている。
【０１６１】
そして、上述のステップＴ３７の処理からステップＴ３８の処理に進むと、このステップＴ３８にて、制御部１１は、測光位置を変更設定する操作が行われたか否かの確認を行う。ここで、測光位置変更操作が行われたことが確認された場合には、ステップＴ３９の処理に進む。また、測光位置変更操作が行われていないことが確認された場合には、ステップＴ４０の処理に進む。
【０１６２】
ここで、上記測光位置変更操作が行われる際の表示部１８に表示されるモニタ画像について図６を用いて説明する。図６は、本実施形態のカメラシステムにおける撮影指示処理時のコントローラの表示部の表示例であって、ＡＥ処理の実行時の初期画面を示している。
【０１６３】
図６の表示画面１８ｅにおいては、上述の図５（Ａ）の表示画面１８ａ（モニタ画像受信表示処理時の初期画面）と同様の表示に対して、ＡＥ処理における測光を行う所定範囲の領域（測光位置という）を指示するためのＡＥマーク１８ｖが表示されている。このＡＥマーク１８ｖは、初期画面の表示状態では画面略中央部分に表示されている。
【０１６４】
コントローラ１の表示部１８に図６の表示画面１８ｅが表示されているとき、操作者は、操作部材のうち例えば四方向選択ボタン４１又はタッチパネル部２４等を用いることで、ＡＥマーク１８ｖの位置を表示画面１８ｅ内における所望の位置に変更することができるようになっている。
【０１６５】
この操作がなされると、四方向選択ボタン４１又はタッチパネル部２４から測光位置が変更された旨の指示信号が操作部１３に出力される。操作部１３は、当該指示信号を制御部１１に出力する。
【０１６６】
これを受けて制御部１１は、上述のステップＴ３８の処理にて、測光位置変更操作を確認し、ステップＴ３９の処理に進む。
【０１６７】
ステップＴ３９において、制御部１１は、測光位置送信処理を実行する。その後、ステップＴ４０の処理に進む。
【０１６８】
すると、カメラ２では、ステップＳ３６において、カメラ制御部３１がカメラ通信部３９を介して、測光位置変更情報が受信されたか否かの確認を行う。ここで、測光位置変更情報が受信された場合には、ステップＳ３７の処理に進む。また、測光位置変更情報が受信されなかった場合には、ステップＳ３８の処理に進む。
【０１６９】
ステップＳ３７において、カメラ制御部３１は、測光位置変更処理を実行する。その後、ステップＳ３８の処理に進む。
【０１７０】
ステップＳ３８において、カメラ制御部３１は、ＡＥ処理とＡＦ処理を実行する。その後、ステップＳ３９の処理に進む。
【０１７１】
コントローラ１では、ステップＴ４０において、制御部１１が撮影操作、即ちレリーズボタン２３の全押し操作がなされたか否かの確認が行われる。ここで、撮影操作（レリーズ全押し操作）がなされたかことが確認された場合には、ステップＴ４１の処理に進む。また、撮影操作（レリーズ全押し操作）がなされていないことが確認された場合には、上述のステップＴ３１の処理に戻り、以降の処理を繰り返す。
【０１７２】
ステップＴ４１において、制御部１１は、撮影指示信号を送信する処理を実行する。その後、ステップＴ４２の処理に進む。
【０１７３】
これを受けて、カメラ２では、ステップＳ３９において、カメラ制御部３１がカメラ通信部３９を介して撮影指示信号が受信されたか否かの確認を行う。ここで、撮影指示信号が受信されたか場合には、ステップＳ４０の処理に進む。また、撮影指示信号が受信されない場合には、上述のステップＳ３１の処理に戻り、以降の処理を繰り返す。
【０１７４】
ステップＳ４０において、カメラ制御部３１は撮影処理を実行する。その後、ステップＳ４１の処理に進む。
【０１７５】
ステップＳ４１において、カメラ制御部３１は、上述のステップＳ４０の撮影処理にて取得し一時的に記憶されている画像データをレックビュー画像として送信する処理を実行する。その後、一連の処理を終了して、元の処理に戻る（リターン）。
【０１７６】
これを受けて、コントローラ１では、ステップＴ４２において、制御部１１は、レックビュー画像データを受信し、受信した画像データに基づく画像を表示部１８に表示するレックビュー画像受信表示処理を実行する。その後、一連の処理を終了して、元の処理に戻る（リターン）。
【０１７７】
以上説明したように上記第１の実施形態によれば、カメラ２と、このカメラ２を外部から制御するコントローラ１とからなるカメラシステムにおいて、カメラ２のカメラ通信部３９とコントローラ１の通信部１９との間で通信することにより、カメラ２は、カメラ撮像部４５の作用により取得した画像データ（撮影画像データ，モニタ画像データ）等を送信し、コントローラ１は、同画像データを受信して、その表示部１８に表示させることができる。これにより、カメラ２とは離れた位置にあるコントローラ１は、カメラ２で得られた画像データを観察することができる。
【０１７８】
この場合において、コントローラ１は、表示部１８に表示された上記画像データを観察しながら、撮影動作を行う際に必要となる撮影条件に関する情報データ（フォーカス位置（ＡＦ検出位置）情報や測光位置（ＡＥ検出位置）情報等）の設定又は変更に関する操作を行うと、その撮影条件情報データが、コントローラ１からカメラ２へと送信される。そして、これを受けたカメラ２では、受信した撮影条件に関する情報データにしたがってカメラ２の撮影条件に関する設定や変更の制御が行われる。これにより、コントローラ１の操作によりカメラ２の撮影条件に関する情報データ（フォーカス位置情報や測光位置情報等）を、遠隔操作により容易に設定することができる。
【０１７９】
さらに、コントローラ１の操作部材としてタッチパネル部２４を採用することにより、より簡単な操作でフォーカス位置情報や測光位置情報等の設定を行なうことができる。
【０１８０】
なお、上述の位置実施形態においては、撮影条件に関する情報の具体例として、フォーカス位置情報と測光位置情報とを別々に設定し得るように例示している。
【０１８１】
カメラ２を用いて撮影動作を行うのに際して通常の場合は、撮影者は、撮影画面内の所望の領域、例えば撮影を所望する一つの主要被写体に対してフォーカス位置や測光位置を設定するのが普通である。このような撮影の場合には、フォーカス位置や測光位置を同一位置に設定する場合が多い。そこで、フォーカス位置と測光位置を別々に設定するのではなく、一回の設定動作でフォーカス位置と測光位置とを同一の位置に同時に設定するようにしてもよい。
【０１８２】
これを実現するために、例えばコントローラ１の表示部１８に表示されるフォーカスマークとＡＥマークとについて、兼用の一つのマークを表示させるようにすればよい。
【０１８３】
図７は、表示画面１８ｆにおいて、ＡＦ位置及びＡＥ位置兼用マーク（以下、ＡＦ／ＡＥ兼用マークと略記する）１８ｗを表示させるようにした場合の表示例である。
【０１８４】
操作者は、四方向選択ボタン４１又はタッチパネル部２４を用いて、このＡＦ／ＡＥ兼用マーク１８ｗを表示画面１８ｆ内の所望の位置に設定することで、一回の設定動作によってフォーカス位置と測光位置とを同一位置に同時に設定することができる。
【０１８５】
この撮影条件情報がコントローラ１からカメラ２へと送信されると、カメラ２では、受信した撮影条件情報に基いてＡＦ位置とＡＥ位置とが同時に設定され、かつＡＦ処理とＡＥ処理とが同時に平行して実行するといった制御がなされる。したがって、レリーズ操作前の撮影準備処理をより効率的にかつ高速に行なうことができる。
【０１８６】
上述の位置実施形態においては、操作者がコントローラ１の操作部材を用いて表示部１８の表示画面上で指定したフォーカス位置や測光位置に、フォーカスマークや測光マークを表示させるようにしている。
【０１８７】
本実施形態のカメラシステムにおけるカメラ２やコントローラ１に採用される表示部１８は、表示画面が大きなものになるほど、表示される画像や各種の情報（フォーカスマークや測光マーク等）の視認性や、フォーカス位置や測光位置の設定操作を行う際の操作性等が良好になるのは当然である。しかしながら、当該カメラシステムは、主に携帯して使用されるものであることを考慮すると、大きな表示画面の表示部１８を採用するのには限界がある。
【０１８８】
そこで、大型の表示部１８を採用することなく、表示画像や各種情報の視認性や、フォーカス位置，測光位置の設定操作の操作性を良好なものとするための工夫として、表示部１８に拡大画像を表示させるという方法がある。
【０１８９】
図８〜図１０は、上述の一実施形態の変形例のカメラシステムによる表示例を示している。このうち図８は、本発明の一実施形態の変形例のカメラシステムのコントローラの表示部に表示されるモニタ画像とフォーカス位置設定操作の際の作用を説明する図である。
【０１９０】
図９，図１０は、上記変形例のカメラシステムにおいて、コントローラの表示部に設定されたフォーカス位置又は測光位置を含む領域の拡大画像が表示されている状態を示している。なお、図９は近景の被写体（図８の領域Ｉ）にフォーカス位置を設定したときの拡大画像を、図１０は遠景の被写体（図８の領域Ｈ）にフォーカス位置を設定したときの拡大画像を、それぞれ示している。
【０１９１】
この変形例の基本的な構成は、上述の一実施形態のカメラシステムと略同様であり、一部の制御が異なるのみである。
【０１９２】
即ち、本変形例では、コントローラ１の表示部１８にカメラ２から送信されたモニタ画像データに基づくモニタ画像が表示されている状態で、操作者がコントローラ１の操作部材を用いて表示部１８の表示画面上においてフォーカス位置や測光位置の設定操作を行ったとき、設定したフォーカス位置や測光位置を含む領域の拡大画像が表示部１８に表示される。
【０１９３】
例えば図８に示す表示画面１８ｇは、コントローラ１の表示部１８に表示されているモニタ画像であるとする。
【０１９４】
この表示画面１８ｇにおいて、操作者が操作部材（四方向選択ボタン４１又はタッチパネル部２４）を用いて画面全体の中でフォーカス位置としたい所望の被写体を指示する。
【０１９５】
すると、指示された位置を中心として所定の領域（例えば図８の領域Ｉ又は領域Ｈ）の画像の切り出し処理がなされた後、図９又は図１０に示すように、同領域が表示部１８の表示画面全体を用いて拡大表示される。そして、その拡大画像の略中央部分にフォーカスマーク１８ｘが表示される。このフォーカスマーク１８ｘが表示される画面の中央位置がフォーカス位置として設定される。
【０１９６】
図９は、図８の領域Ｉの拡大画像が表示される表示画面１８ｉを示し、図１０は、図８の領域Ｈの拡大画像が表示される表示画面１８ｈである。
【０１９７】
この画像領域の切り出し処理及び画像拡大表示処理は、例えばコントローラ１の制御部１１の制御下で表示制御部１７等によって行われる。
【０１９８】
なお、図９，図１０の表示画面１８ｉ，１８ｈでは、画像が表示されない領域１８ｚ（ハッチングで示す部分）がある。これは、拡大表示処理の際には、設定したフォーカス位置を中心として所定の領域の画像を切り出し処理するようにしていることに起因するものである。つまり、設定されたフォーカス位置が表示画面の周縁部近傍であった場合には、所定の領域を切り出したときに画像が存在しない領域を含むことがあるためである。
【０１９９】
また、本変形例では、操作部材によって指示された位置を含む領域をモニタ画像から切り出して、これを拡大表示するようにしている。これに対して、拡大表示しないで指示された位置を表示部の表示画面の略中央部分となるように表示するようにしてもよい。この場合、画像の一部領域の切り出し処理や拡大処理を省略しつつ、指定された位置の被写体が常に表示画面の中央部分に表示されるので、画像全体におけるフォーカス位置又は測光位置等、指定位置の確認が容易にできる。
【０２００】
また、上記説明においては、フォーカス位置を設定する場合を例に挙げて説明しているが、測光位置を設定する場合にも同様に適用することができる。
【０２０１】
以上述べたように上記変形例によれば、操作者によりフォーカス位置又は測光位置が設定されたときには、設定されたフォーカス位置を含む所定の範囲の領域が拡大表示された状態で表示部１８の表示画面に表示される。したがって、操作者は、拡大された画像によってＡＦ処理やＡＥ処理の結果を確認することができるので、より良好な操作性を得ることができるようになる。
【０２０２】
なお、上記実施形態において説明した制御部（１１，３１）における各処理に関しては、ソフトウエアではなく一部または全てをハードウエアで構成してもよい。逆にハードウエアとして説明したリモート制御部（３１ａ）等をソフトウエアで構成してもよい。この場合における具体的な構成は設計事項である。
【０２０３】
そして、制御部１１，３１による各制御処理は、ＲＯＭ１２，３２に格納されたソフトウエアプログラムが制御部１１，３１に供給され、供給されたプログラムに従って動作させることにより実現されるものである。したがって、上記ソフトウエアのプログラム自体が制御部１１，３１の機能を実現することになり、そのプログラム自体は本発明を構成する。また、そのプログラムを格納する記録媒体も本発明を構成する。この場合において、記録媒体としては、フラッシュメモリ以外に、例えばＣＤ−ＲＯＭ（−Ｒ，−ＲＷ等），ＤＶＤ−ＲＯＭ（−Ｒ，−ＲＷ）等の光学記録媒体，ＭＤ，ＭＯ等の光磁気記録媒体，磁気テープを用いた磁気媒体，ＩＣカード等の半導体メモリ等を適用し得る。
【０２０４】
また、上述の実施形態では、本発明をデジタルカメラとコントローラとからなるカメラシステムとした例を示して説明しているが、本発明を適用する機器としては、これに限ることはなく、例えば携帯電話等をコントローラとして使用するような構成も考えられる。
【０２０５】
本発明は上述した実施形態そのままに限定されるものではなく、実施段階では、本発明の主旨を逸脱しない範囲内において構成要素について種々の変形や応用を加えて具体化し得ることは勿論である。さらに、上記実施形態には、種々の段階の発明が含まれており、上述の実施形態によって開示されている複数の構成要素の適宜な組み合わせによって、種々の発明が抽出され得る。例えば、上記実施形態に示される全構成要素から幾つかの構成要素が削除されても、発明が解決しようとする課題の欄で述べた課題が解決でき、発明の効果で述べられている効果が得られる場合には、この構成要素が削除された構成が発明として抽出され得る。そして、異なる実施形態にわたる構成要素を適宜組み合わせて構成してもよい。
【図面の簡単な説明】
【０２０６】
【図１】本発明の一実施形態のカメラシステム全体の概略構成を示すシステム構成図。
【図２】図１のカメラシステムにおけるコントローラとカメラとのそれぞれの内部構成の概略を示すブロック構成図。
【図３】図１のカメラシステムにおいて、コントローラを用いてカメラを遠隔操作してカメラを制御する際の作用を示すフローチャート。
【図４】図１のカメラシステムにおいて、コントローラの撮影指示処理（ステップＴ１９）とカメラの撮影実行処理（ステップＳ１６）とを並べて示すフローチャート。
【図５】図１のカメラシステムにおける撮影指示処理時のコントローラの表示部の表示例。
【図６】図１のカメラシステムにおける撮影指示処理時のコントローラの表示部の表示例。
【図７】図１のカメラシステムにおいて、表示画面に表示されるＡＦ位置及びＡＥ位置のマークについての別の表示例。
【図８】本発明の一実施形態の変形例のカメラシステムによる表示例であって、コントローラの表示部に表示されるモニタ画像とフォーカス位置設定操作の際の作用を説明する図。
【図９】図８のカメラシステムにおいて、コントローラの表示部に図８の領域Ｉの拡大画像が表示された状態を示す図。
【図１０】図８のカメラシステムにおいて、コントローラの表示部に図８の領域Ｈの拡大画像が表示された状態を示す図。
【符号の説明】
【０２０７】
１……コントローラ
２……カメラ
１１……制御部
１１ａ……操作制御部
１２……ＲＯＭ
１３……操作部
１４……ＲＡＭ
１５……記録再生部
１６……記録媒体部
１７……表示制御部
１８……表示部
１９……通信部
２１……四方向選択ボタン
２１ａ……決定ボタン
２２……メニューボタン
２２ｂ……ＡＦ／ＡＥボタン
２３……レリーズボタン
２４……タッチパネル部
３１……カメラ制御部
３１ａ……リモート制御部
３２……カメラＲＯＭ
３３……カメラ操作部
３４……カメラＲＡＭ
３５……カメラ記録再生部
３６……カメラ記録媒体部
３７……カメラ表示制御部
３８……カメラ表示部
３９……カメラ通信部
４０……バスライン
４１……四方向選択ボタン
４１ａ……決定ボタン
４１ｂ……メニューボタン
４１ｃ……レリーズボタン
４２……情報表示部
４３……交換レンズ部
４４……カメラアンテナ
４５……カメラ撮像部
４６……カメラ本体
５４……アンテナ
【図１】
2009273033.tif 000003
【図２】
2009273033.tif 000004
【図３】
2009273033.tif 000005
【図４】
2009273033.tif 000006
【図５】
2009273033.tif 000007
【図６】
2009273033.tif 000008
【図７】
2009273033.tif 000009
【図８】
2009273033.tif 000010
【図９】
2009273033.tif 000011
【図１０】
2009273033.tif 000012